(57)【要約】【課題】  ビニル屋根を取り囲む支持バンドの張力を調節して屋根全体を自動的に開閉させる連棟ビニル温室の完全自動屋根開閉システムを提供する。【解決手段】  本発明の完全自動屋根開閉システムは、ビニル屋根２ａ及び支持バンド３を屋根２の上端部に固定するマウンティングブロック１００と、前記ビニル屋根の下端部を固定して前記屋根を開閉させる巻取棒２１０と、該巻取棒の昇降を誘導しながら水平を維持させる巻取棒水平維持手段３００と、前記巻取棒の巻き取り動作に応じて選択的に支持バンドを引っ張るか又は緩めることにより、前記支持バンドの張力を調節するバンド張力調節手段４００とを含むようにした。
2006511230.tif 000002
【特許請求の範囲】
【請求項１】
複数のアーチ形フレームに被せられたビニル屋根を複数の支持バンドが外側から等間隔で取り囲んで固定するトンネル形屋根を有する複数のビニル温室が、その側面で連結されて連続的に設置される連棟ビニル温室の完全自動屋根開閉システムにおいて、
前記屋根の長手方向に配列され、前記アーチ形フレーム上に装着され前記ビニル屋根及び前記支持バンドの上端部を固定するマウンティングブロックと、
前記ビニル屋根の下端部を固定するビニル下端固定部が外周面に設けられ、一体的に連結された巻取モータの駆動力により回転してビニル屋根を巻き取るか又は巻き戻しながら昇降して前記屋根を開閉させる巻取棒と、
前記巻取棒の両端部に設けられ、前記巻取棒の昇降を誘導しながら水平を維持させる巻取棒水平維持手段と、
前記支持バンドの一部を拘束し、前記巻取棒の巻き取り動作により選択的に支持バンドを引っ張るか又は緩めることにより、前記支持バンドの張力を調節するバンド張力調節手段とを含むことを特徴とする連棟ビニル温室の完全自動屋根開閉システム。
【請求項２】
前記ビニル屋根はビニル固定手段により上端部が前記マウンティングブロックの下部両側面に固定され、前記支持バンドはバンド固定手段により上端部が前記マウンティングブロックの上部両側面に固定されることを特徴とする請求項１記載の連棟ビニル温室の完全自動屋根開閉システム。
【請求項３】
前記ビニル固定手段は、前記マウンティングブロックの下部両側面に長手方向に沿って挿入溝を形成し、これに前記ビニル屋根の上端部、前記挿入溝に挿入可能に形成された挿入溝カバー、及び締結部材を順次挿入して、前記ビニル屋根を前記挿入溝カバーにより加圧して固定してなり、
前記バンド固定手段は、前記支持バンドの先端に係止部を形成し、前記マウンティングブロックの上部両側面に沿って設けられ、一端が開放されている挿入溝を形成し、該挿入溝に前記係止部を挿入してなることを特徴とする請求項２記載の連棟ビニル温室の完全自動屋根開閉システム。
【請求項４】
前記巻取棒のビニル下端固定部は、巻取棒の外周面に沿って軸方向にビニル収容溝を形成し、これに前記ビニル屋根の下端部、前記ビニル収容溝に挿入可能に形成された支持片、及び締結部材を順次挿入して、前記ビニル屋根を支持片により加圧して固定してなることを特徴とする請求項１記載の連棟ビニル温室の完全自動屋根開閉システム。
【請求項５】
前記巻取棒水平維持手段は、
回転する前記巻取棒の両端に一体的に設けられ、該巻取棒の昇降時に共に回転しながら昇降する円板カラーと、
前記巻取棒が水平状態をなすため、前記円板カラーの下部を外接状態で支持すると共に前記円板カラーがアーチ状に走行しながら昇降するようにガイドするアーチ形ガイドレールと、
前記円板カラーが前記アーチ形ガイドレールから離脱することを防止するために、該アーチ形ガイドレールの両側を支持するように前記円板カラーの両側に設けられるガイド板と、
前記ガイド板の下部に設けられ、前記アーチ形ガイドレールの下部面に密着して円板カラーの走行を助けるローラとを含むことを特徴とする請求項１記載の連棟ビニル温室の完全自動屋根開閉システム。
【請求項６】
前記バンド張力調節手段は、
隣接した屋根間の下部に形成される谷に屋根の長手方向にそれぞれ設けられる複数のシャフトと、
前記谷に固定され、前記シャフトを回転可能に支持する支持部材と、
駆動モータに連結され、前記複数のシャフトに駆動力を伝達して同時に回転させる伝動部材と、
前記シャフトに偏心状態で取り付けられ、前記複数の支持バンドの一部を巻き取って拘束し、前記シャフトの回転時に、偏心状態で回転しながら支持バンドを引っ張るか又は緩めて張力を調節する複数の偏心円板プーリとを備え、
前記伝動部材は、
前記駆動モータに取り付けられ、当該駆動モータにより回転する駆動ピニオンと、
前記駆動ピニオンと噛み合い、前記駆動モータの駆動により往復運動する水平ラックと、
前記複数のシャフトの端部にそれぞれ取り付けられ、前記水平ラックと噛み合い、前記水平ラックの往復運動により回転して前記複数のシャフトを回転させる従動ピニオンとを含み、
前記水平ラックは、
往復運動時に両側面方向に遊動することを防止するため、前記水平ラックの両側面を支持する遊動防止具と、
前記水平ラックの垂直荷重を支持する水平板と、
前記水平板と前記水平ラック間で転がり運動するガイドローラとを含むことを特徴とする請求項１記載の連棟ビニル温室の完全自動屋根開閉システム。
【請求項７】
前記偏心円板プーリは、偏心状態での回転時に引っ張られるか又は緩められる前記支持バンドが、前記偏心円板プーリの外周面に巻き取られることを防止するために、前記偏心円板プーリの外周面で空回転する環状のアイドルベアリングをさらに含み、
前記偏心円板プーリの外周面は断面Ｕ字形に形成され、前記アイドルベアリングの内周面は断面Ｖ字形に形成され、アイドルベアリングの空回転時、前記外周面と内周面が互いに線接触することにより摩擦抵抗が減少されることを特徴とする請求項６記載の連棟ビニル温室の完全自動屋根開閉システム。
【請求項８】
前記屋根間の下部に形成される谷に設けられ、前記偏心円板プーリの作動により選択的に前記巻取棒を拘束して、前記巻取棒の遊動を防止する巻取棒収容部材をさらに含み、
前記巻取棒収容部材は、前記谷に位置する前記アーチ形フレームの一側面、又は前記谷に別途設けられた雨樋の一側面に固定される固定板を設け、前記固定板の一側には、前記巻取棒の外径より小さい内径を有し、上下端に外向に折り曲げられたラウンド部が一体的に形成された一側開放形の弾性リングを設けることにより、前記巻取棒がラウンド部を加圧しながら弾性リングに挿入されると、前記巻取棒を排斥する反発力を前記弾性リングが発生するようになり、
前記弾性リングの上端には傾斜片が上方に斜めに延長されるので、前記巻取棒が前記傾斜片に沿って誘導されて前記弾性リングの内部に挿入されることを特徴とする請求項６記載の連棟ビニル温室の完全自動屋根開閉システム。
【発明の詳細な説明】
【技術分野】
【０００１】
本発明は連棟ビニル温室に係り、より詳しくはビニル屋根を取り囲む支持バンドの張力を調節して、自動的に開閉させることができる連棟ビニル温室の完全自動屋根開閉システムに関するものである。
【背景技術】
【０００２】
一般に、ビニル温室は、内部の温度、湿度、採光などを自由に調節して、最適な状態で作物を栽培することにより、優れた品質の作物を生産しなければならない。
【０００３】
従来のビニル温室は、図１に示すように、等間隔で連続的に設置され、ビニル屋根２ａが覆われた複数のアーチ形フレーム１と、ビニル屋根２ａの上面に等間隔で設けられ、該ビニル屋根２ａを固定する支持バンド３とを含む。従って、ビニル温室は、ビニル屋根２ａによって屋根を支持している。
【０００４】
前記屋根２の下部には、ビニル屋根２ａの下端部を固定し、端部に設けられた巻取モータＭ１の回転駆動力によりビニル屋根２ａを巻き取って屋根２を開閉させる巻取棒５が設けられている。これにより、室内空気を外部へ循環させることができる。
【０００５】
前記巻取棒５はビニル屋根２ａを巻き取るため、図示するように、支持バンド３の内側に設けられ、巻き取り時に発生する巻取力により昇降しながら屋根２を開閉する。
【０００６】
巻取棒５は、前記巻取モータＭ１の駆動により自動的に回転を行い、ビニル屋根２ａを巻き取る。巻取棒５は、この巻き取り動作により屋根２に沿って昇降するだけでなく、巻き取られたビニル屋根２ａによる吊り下げ作用により墜落を防止することもできる。
【０００７】
また一方、図に示した巻取棒５の両端に、回転リンク６を設け、巻取棒５の墜落を防止するとともに、昇降を円滑に誘導することができる。
【０００８】
図示するように、このように構成されたビニル温室が少なくとも一つ以上並んで設置されたものを連棟ビニル温室という。連棟ビニル温室は、屋根２の側面で互いに連結されるように設置される。
【０００９】
このように連結された屋根２の間の谷Ｖには、雨水を排水する雨樋４が設けられている。
【００１０】
しかし、上記従来のビニル温室によれば、支持バンド３が巻取棒５の外周面を加圧するため、巻取棒５が屋根２の上部に上昇することなく、屋根２の下端部の一部のみを開閉する。こうして開閉された屋根２の開閉高さｈは、およそ１ｍにすぎないので、ビニル温室の室内空気が全て循環されずに、一部のみしか循環されないという問題がある。従って、夏季のような高温季には作物の栽培が難しくなる。
【００１１】
また、巻取棒５に巻き取られるビニル屋根２ａは、外側から加圧する支持バンド３との摩擦により伸びて損傷するため、ビニル屋根２ａを廃棄し新しく交換しなければならないという問題点もある（このことは、頻繁に発生する問題点でもある）。
【００１２】
また、巻取モータＭ１は巻取棒５の一端に設けられているので、巻取棒５の両端に伝達される回転駆動力が異なり、巻取モータＭ１に近接した巻取棒５の端部は円滑に回転するのに対し、反対側の端部は回転が十分でないため、巻取棒５の両端が相違した高さに上昇してしまうこととなる。これにより、巻取棒５の両端の高さに差が生じて、ビニル屋根２ａが斜めに巻き取られるだけでなく、巻取棒５が曲がるという問題もある。
【発明の開示】
【発明が解決しようとする課題】
【００１３】
従って、本発明は、上記従来の問題点を解決するためになされたものであり、連棟ビニル温室のビニル屋根を支持する支持バンドの張力を自動的に調節し、巻取棒の巻き取り時に支持バンドが巻取棒を加圧することを防止するのみならず、巻取棒が屋根の上端まで上昇して屋根全部を開放することができ、巻取棒の両端が同一円周を描きながら昇降して水平状態でビニル屋根を巻き取りながら昇降することができる連棟ビニル温室の完全自動屋根開閉システムを提供することを目的とする。
【課題を解決するための手段】
【００１４】
このような目的を達成するために、本発明は、複数のアーチ形フレームに被せられたビニル屋根を複数の支持バンドが外部から等間隔で取り囲んで固定するトンネル形屋根を有する複数のビニル温室が、その側面で連結されて連続的に設置される連棟ビニル温室の完全自動屋根開閉システムにおいて、前記屋根の長手方向に配列され、前記アーチ形フレーム上に装着された前記ビニル屋根及び前記支持バンドの上端部を固定するマウンティングブロックと、前記ビニル屋根の下端部を固定するビニル下端固定部が外周面に設けられ、一体的に連結された巻取モータの駆動力により回転してビニル屋根を巻き取るか又は巻き戻しながら昇降して前記屋根を開閉させる巻取棒と、前記巻取棒の両端部に設けられ、前記巻取棒の昇降を誘導しながら水平を維持させる巻取棒水平維持手段と、前記支持バンドの一部を拘束し、前記巻取棒の巻き取り動作に応じて選択的に支持バンドを引っ張るか又は緩めることにより、前記支持バンドの張力を調節するバンド張力調節手段とを含む連棟ビニル温室の完全自動屋根開閉システムを提供する。
【発明の効果】
【００１５】
即ち、本発明に係る連棟ビニル温室の完全自動開閉屋根システムは、バンド張力調節手段で複数の支持バンドの張力を自動的に調節して屋根の上端まで巻取棒を上昇させることができるので、屋根全体の自動開閉が可能である。よって室内の空気を完全に換気させて温室の換気効率を向上させる。
【００１６】
また、巻取棒の巻き取りの際に、支持バンドが干渉することを防止して、支持バンドとの摩擦によるビニル屋根の損傷を防止することができ、巻取棒が巻取棒水平維持手段により水平状態で昇降するので、ビニル屋根が斜めに巻き取られることを防止し、巻取棒が曲がるのを防止する効果もある。
【発明を実施するための最良の形態】
【００１７】
以下、添付図面に基づいて本発明を説明するが、図面において実質的に同一の構成要素には同じ符号を付している。
【００１８】
図２は本発明による連棟ビニル温室の完全自動開閉屋根システムを示す斜視図、図３は図２に示す連棟ビニル温室の平面図、図４は図２に示す連棟ビニル温室の正面図である。
【００１９】
そして、図５は図２に示すマウンティングブロック及び巻取棒の構成を示す側面断面図、図６は図２に示す偏心円板プーリの正面図、図７は図６に示す偏心円板プーリの斜視図、図８は図６に示す偏心円板プーリの作動概念を示す概念図である。
【００２０】
同図に示すように、本発明による連棟ビニル温室の完全自動屋根開閉システムは、屋根２の側面が互いに連結されて連棟をなしている複数のビニル温室からなる。該ビニル温室は、前方から後方へ連続して設けられた複数のアーチ形フレーム１に被せられたビニル屋根２ａを、複数の支持バンド３が外側から等間隔で取り囲んで固定したトンネル形屋根２を有している。
【００２１】
そして、隣接した屋根２の間には谷Ｖが形成され、この谷Ｖには雨樋４が設けられている。
【００２２】
本発明では、アーチ形フレーム１上に、ビニル屋根２ａ及び支持バンド３の上端部を固定するマウンティングブロック１００を、図２に示すように屋根２の長手方向に固定して設置している。マウンティングブロック１００は、図５に示すクランプ１０１を用いてアーチ形フレーム１に固定して設置するか、又はアーチ形フレーム１とマウンティングブロック１００を溶接で固定して設置することができる。
【００２３】
このようなマウンティングブロック１００に固定されるビニル屋根２ａは、ビニル固定手段により、上端部がマウンティングブロック１００の下部両側面で固定される。マウンティングブロック１００に固定される支持バンド３は、バンド固定手段により、上端部がマウンティングブロック１００の上部両側面で固定される。
【００２４】
図５に基づいて、前記ビニル固定手段及びバンド固定手段を詳細に説明する。ビニル固定手段は、まず、マウンティングブロック１００の下部両側面に長手方向に沿って挿入溝１１０を形成し、これにビニル屋根２ａの上端部を挿入する。そして、挿入溝１１０に挿入可能に形成された挿入溝カバー１１２を挿入し、締結部材１１４でマウンティングブロック１００に締結する。これにより、ビニル屋根２ａが挿入溝カバー１１２により加圧されて固定される。
【００２５】
このとき、ビニル屋根２ａの上端はマウンティングブロック１００の上側にはみ出すように挿入溝１１０に挿入しなければならない。挿入溝カバー１１２はこのビニル屋根２ａをジグザグ状に加圧して固定するように、例えば、図示するように少なくとも一つの圧縮リブＲを内側に、且つ長手方向に延長させることが好ましい。
【００２６】
もちろん、圧縮リブＲは挿入溝カバー１１２の上下端及び中央に形成することが最も好ましい。この場合、中央に形成された圧縮リブＲは、挿入溝１１０に挿入され、挿入溝カバー１１２の上下端に形成された圧縮リブＲは、挿入溝１１０の外端部を加圧するように形成される。
【００２７】
挿入溝カバー１１２の上下端に形成された圧縮リブＲが、挿入溝１１０の外側部分をより強力に加圧させるためには、上下端の圧縮リブＲを収容する収容溝又は突起をマウンティングブロック１００の両側面に沿って設けるとよい。
【００２８】
このように、ビニル屋根２ａは挿入溝１１０、挿入溝カバー１１２及び締結部材１１４によりマウンティングブロック１００に一体的に固定される。
【００２９】
次に、バンド固定手段は、支持バンド３の先端に設けられる係止膨出部１２２と、マウンティングブロック１００の上部両側面に沿って設けられ、一端が開放されている挿入溝１２０とを有している。この挿入溝１２０に係止膨出部１２２を挿入することにより支持バンド３が固定される。
【００３０】
この支持バンド３は、図２に示すように複数からなり、複数の支持バンド３の係止膨出部１２２が、マウンティングブロック１００の前方側又は後方側で挿入溝１２０に順次挿入される。つまり、支持バンド３は、等間隔でマウンティングブロック１００の向かい合った挿入溝１２０に沿って配置されなければならない。
【００３１】
従って、支持バンド３の係止膨出部１２２は、マウンティングブロック１００の向かい合った挿入溝１２０に強力に挿入されるので、支持バンド３は、マウンティングブロック１００の挿入溝１２０に一体的に固定される。
【００３２】
もちろん、バンド固定手段の係止膨出部１２２及び挿入溝１２０の形状は図示のような断面円形状に限定されるものではなく、場合によっては断面が四角形、三角形など多様に形成することができる。
【００３３】
さらに、マウンティングブロック１００に係止膨出部１２２及び挿入溝１２０を形成しないで、ネジ、釘などで支持バンド３をマウンティングブロック１００に固定するようにしてもよい。
【００３４】
また、バンド固定手段を、図示のものと異なり、リング形状に形成し、このリングで支持バンド３を貫通させることにより固定するようにしてもよい。
【００３５】
これについてより詳しく説明すると、マウンティングブロック１００の上面に等間隔で複数のリングが突出して設けられ、このリングにより支持バンド３を固定させるようにしてもよい。このような支持バンド３はリングに固定されることにより、マウンティングブロック１００に連動することなく固定することができる。
【００３６】
また、本発明は、複数の巻取棒２１０を備えている。そして、各巻取棒２１０は、ビニル屋根２ａの下端部を固定するために、巻取棒２１０の外周面に沿って備えられたビニル下端固定部２１２を備えている。巻取モータＭ１は、巻取棒２１０を回転させるために、該巻取棒２１０の端部に備えられている。そして、巻取棒２１０が屋根２を開閉させるために、ビニル屋根２ａを巻き取りながら、又は巻き戻しながら、屋根２の上部及び両端部の間を上方へ、そして下方へ移動している。
【００３７】
ここで、ビニル下端固定部２１２は、図５に示すように、巻取棒２１０の外周面に沿って軸方向にビニル収容溝２１２ａを形成している。そして、該ビニル収容溝２１２ａに、ビニル屋根２ａの下端部を挿入し、次に前記ビニル収容溝２１２ａに挿入可能に形成された支持片２１２ｂを挿入し、そして、締結部材２１２ｃを挿入して巻取棒２１０を締結している。これにより、ビニル屋根２ａが支持片２１２ｂにより加圧されて固定されている。
【００３８】
このとき、支持片２１２ｂはビニル収容溝２１２ａに沿ってビニル屋根２ａの下端部全部を加圧して支持するように、巻取棒２１０の軸方向に沿って長く形成することが好ましい。
【００３９】
このようにして、ビニル屋根２ａの下端部は支持片２１２ｂにより加圧され、巻取棒２１０のビニル収容溝２１２ａにしっかり固定される。
【００４０】
さらに、巻取棒２１０にビニル屋根２ａをよりしっかり固定するためには、支持片２１２ｂの内側に図示のような圧縮リブＲ′を少なくとも一つ設ければよく、この圧縮リブＲ′がビニル屋根２ａをくさび状に強固に固定する。
【００４１】
一方、巻取棒２１０がビニル屋根２ａを固定するためにビニル収容溝２１２ａを有する理由は、支持片２１２ｂ及び締結部材２１２ｃが巻取棒２１０の外周面から突出することを防止するためである。
【００４２】
仮に、ビニル収容溝２１２ａが形成されていない巻取棒２１０の外周面にビニル屋根２ａの下端部を巻き付け、支持片２１２ｂ及び締結部材２１２ｃで固定すると、支持片２１２ｂ及び締結部材２１２ｃの厚さにより、積層式で巻き取られるビニル屋根２ａは支持片２１２ｂ及び締結部材２１２ｃから突出しながら巻き取られる。これにより突出部分が支持バンド３に引っかかって損傷するか、ビニルに皺が発生することがある。
【００４３】
しかし、巻取棒２１０にビニル収容溝２１２ａを形成し、その内部にビニル屋根２ａを固定すると、このようなビニル屋根２ａの突出を防止することができる。従って、ビニル屋根２ａが支持バンド３に引っかかることを防止することができる。
【００４４】
さらに、本発明は、巻取棒２１０の両端部に設けられ、巻取棒２１０の昇降を誘導しながら水平状態を維持させる巻取棒水平維持手段３００を含む。この巻取棒水平維持手段３００は、図２乃至図４に示すように、回転する巻取棒２１０の両端にピニオン３１０を一体的に設け、屋根２の両側にそれぞれ、このピニオン３１０を下部で支持しながら噛み合うアーチ形ラック３２０を設けている。これにより、巻取棒２１０の回転時に、両端のピニオン３１０がアーチ形ラック３２０の円周に沿って走行して巻取棒２１０の両端の水平状態を維持しながら昇降するように構成されている。
【００４５】
ここで、アーチ形ラック３２０は、例えば、図示のような水平板５０２が上端に設けられた垂直支柱５００を屋根２の外側に設置し、この水平板５０２上に固定することができる。あるいは既に設置されたアーチ形フレーム１に水平板５０２を装着し、その上に固定することもできる。
【００４６】
もちろん、垂直支柱５００に水平板５０２を取り付けず、垂直支柱５００の上端部に直にアーチ形ラック３２０を取り付けてもよい。それ以外にも、アーチ形フレーム１と一体になるように、アーチ形フレーム１の上部に載せて取り付けることもでき、あるいはアーチ形ラック３２０の両端部が地面に到達するように下方に長く構成することもできる。
【００４７】
一方、ピニオン３１０の両側には、前記アーチ形ラック３２０の両側を支持し、走行するピニオン３１０の離脱を防止しながら走行を案内するガイド板３５０が設けられている。
【００４８】
このとき、ガイド板３５０の下部には、ピニオン３１０の走行時、アーチ形ラック３２０の下面に密着して回転することにより、ピニオン３１０の走行を助けるローラ３５２を装着することが好ましい。これにより、ガイド板３５０はピニオン３１０の走行をより容易に案内することができる。
【００４９】
このように構成された巻取棒水平維持手段３００は、巻取棒２１０が巻取モータＭ１により回転すると、巻取棒２１０の両端のピニオン３１０も共に回転しながらアーチ形ラック３２０に沿って走行するので、巻取棒２１０の両端は同じ高さ、つまり水平状態を維持しながら昇降する。またピニオン３１０はガイド板３５０によりアーチ形ラック３２０から離脱することなく円滑に走行する。
【００５０】
最後に、本発明は、支持バンド３の一部を拘束して、前記巻取棒２１０の巻き取り動作により選択的に支持バンド３を引っ張るか又は緩めることにより支持バンド３の張力を調節するバンド張力調節手段４００を含む。
【００５１】
前記バンド張力調節手段４００は、図２及び図３に示すように、隣接した屋根２間の下部に形成された複数の谷Ｖで、屋根２の長手方向にそれぞれ設けられる複数のシャフト４１０と、谷Ｖに固定され、前記シャフト４１０を回転可能に支持する複数の支持部材４２０とを含む。
【００５２】
また、バンド張力調節手段４００は、駆動モータＭ２に連結され、その駆動力を複数のシャフト４１０に伝達して同時に回転させる伝動部材４３０と、シャフト４１０に偏心状態で取り付けられ、複数の支持バンド３の一部を巻き取って拘束し、シャフト４１０の回転時に、偏心状態で回転して支持バンド３を引っ張るか又は緩めて張力を調節する図２及び図６のような複数の偏心円板プーリ４５０とを含む。
【００５３】
支持部材４２０は、図２に示すように、中央に円形ベアリング４２２が装着された板材から構成されて雨樋４に固定されている。前記シャフト４１０は前記円形ベアリング４２２に貫通されて、回転可能な状態で雨樋４に固定されている。
【００５４】
もちろん、支持部材４２０を雨樋４に固定せずにアーチ形フレーム１の下端に固定してもよい。他の方法として、板材ではない“π”形状のベンディングバーを適用し、その上端にシャフト４１０を置くようにすることもできる。
【００５５】
すなわち、π形状のベンディングバーを雨樋４又はアーチ形フレーム１の下端に垂直状態に取り付け、その上端にシャフト４１０を置くとよい。
【００５６】
伝動部材４３０は、図２及び図３に示すように、駆動モータＭ２に結合されて回転する駆動ピニオン４３２と、該駆動ピニオン４３２と噛み合い、前記駆動モータＭ２の駆動によりシャフト４１０側に往復運動する水平ラック４３４と、複数のシャフト４１０の端部にそれぞれ取り付けられて前記水平ラック４３４と噛み合い、水平ラック４３４の往復運動により回転して、複数のシャフト４１０を回転させる従動ピニオン４３６とを含む。
【００５７】
図２及び図４に示すように、水平ラック４３４は、往復運動時に両側面に遊動することを防止するため、水平ラック４３４の両側面を支持する遊動防止具４３４ａと、前記水平ラック４３４の垂直荷重を支持する水平板５０２と、前記水平ラック４３４の下面に密着され、前記水平板５０２と水平ラック４３４間で転がり運動をするガイドローラ４３４ｂとを含む。
【００５８】
従って、水平ラック４３４は、駆動モータＭ２による駆動ピニオン４３２の駆動時に、遊動防止具４３４ａにより両側面への遊動が防止され、ガイドローラ４３４ｂにより円滑に往復運動を行う。
【００５９】
このように水平ラック４３４が往復運動を行うと、この水平ラック４３４により、シャフト４１０と一体的に結合された従動ピニオン４３６も回転する。これによりシャフト４１０も連動して回転する。
【００６０】
もちろん、水平ラック４３４は図示のように複数のシャフト４１０を同時に連動させて回転させる。
【００６１】
このように、シャフト４１０が回転すると、偏心円板プーリ４５０も偏心状態で回転して支持バンド３を引っ張るかあるいは緩めることになる。
【００６２】
すなわち、偏心円板プーリ４５０は、図８に実線で示すように、下向きに回転しながら支持バンド３を引っ張って緊張させ、点線で示すように、元の位置に戻りながら引っ張り動作を解除して支持バンド３の緊張状態を解除させる。前記偏心円板プーリ４５０の張力制御動作については後でより詳細に説明する。
【００６３】
前記偏心円板プーリ４５０の外周面には、図７に示すように、空回転する環状のアイドルベアリング４５５を設けて、偏心状態での回転の際に引っ張られるか又は緩められる前記支持バンド３が、前記偏心円板プーリ４５０の外周面に巻き取られることを防止する。
【００６４】
仮に、前記アイドルベアリング４５５が設けられなければ、支持バンド３は偏心円板プーリ４５０の外周面に対する摩擦力により巻き取られてしまう。このように巻き取られる場合、偏心円板プーリ４５０の回転方向側の支持バンド３が反対側の支持バンド３より多く巻き取られてしまう。
【００６５】
すなわち、前記偏心円板プーリ４５０は支持バンド３を両側から均等に引っ張ることなく、回転方向側のみをより多く引っ張ることになる。
【００６６】
しかし、このように空回転するアイドルベアリング４５５を設けると、支持バンド３が、アイドルベアリング４５５の空回転により、偏心円板プーリ４５０の外周面に巻き取られないので、偏心円板プーリ４５０は支持バンド３を両側から均等に引っ張ることができる。
【００６７】
より詳しく説明すると、シャフト４１０の時計方向への回転時、偏心円板プーリ４５０は偏心状態で下方に回転して支持バンド３を下方に引っ張り、支持バンド３は偏心円板プーリ４５０の引っ張り力により緊張されるとともにアイドルベアリング４５５と摩擦し、その摩擦力でアイドルベアリング４５５を空回転させる。
【００６８】
従って、支持バンド３は空回転するアイドルベアリング４５５により偏心円板プーリ４５０の外周面に巻き取られることなく、これにより偏心円板プーリ４５０は支持バンド３を両側から均等に引っ張ることができる。
【００６９】
一方、前記偏心円板プーリ４５０が逆方向に回転するとき、つまり偏心状態で反時計方向に回転すると、アイドルベアリング４５５は支持バンド３の摩擦力により空回転することにより、偏心円板プーリ４５０は両側から均等に支持バンド３を緩める。従って、支持バンド３は緊張状態から解除されて緩む。
【００７０】
前記偏心円板プーリ４５０の外周面は断面Ｕ字形に形成され、前記アイドルベアリング４５５の内周面は断面Ｖ字形に形成されるので、アイドルベアリング４５５の空回転の際に、前記外周面と内周面が線接触して摩擦抵抗を減少させる。
【００７１】
すなわち、偏心円板プーリ４５０は、一般のＶベルト用プーリのごとく、外周面が凹んでおり、アイドルベアリング４５５は、Ｖベルトのごとく、断面中央部が尖っている形態を取る。
【００７２】
従って、偏心円板プーリ４５０とアイドルベアリング４５５は、互いに線接触するように形成された外周面及び内周面により、空回転時に発生する摩擦抵抗を最小限にすることができる。
【００７３】
本発明において、アイドルベアリング４５５は、支持バンド３に対する摩擦力を確保するとともに偏心円板プーリ４５０の外周面に伸縮しながら挿入できるように、ゴム又はウレタン材質で形成することが好ましい。
【００７４】
このように構成されて作動する偏心円板プーリ４５０の作動原理を図８に示す。偏心状態で回転運動を行う偏心円板プーリ４５０の垂直運動量を算出する運動量方程式（式１）は、次のように図面に示す符号で表現される。
【式１】
【００７５】
2006511230.tif 000003
【００７６】
ここで、ｄはシャフト４１０の直径を示し、ｒは偏心円板プーリ４５０の半径を示す。ｄとｒは本発明の実施例により製造されたシャフト４１０及び偏心円板プーリ４５０のサイズ（直径及び半径）から決定されたものである。
【００７７】
上記運動量方程式は、支持バンド３が引っ張られる移動距離を算出してシャフト４１０及び偏心円板プーリ４５０のサイズを設定するために用いられる。あるいは設定されたシャフト４１０及び偏心円板プーリ４５０のサイズによる支持バンド３の移動距離を算出するために用いられる。
【００７８】
前記偏心円板プーリ４５０は、巻取棒２１０がビニル屋根２ａを巻き取るとき、偏心状態で上向きに回転して支持バンド３を緩めなければならず、ビニル屋根２ａの巻き取りが完了すると、再び偏心状態で下向きに回転して支持バンド３を緊張させなければならない。
【００７９】
すなわち、偏心円板プーリ４５０が支持バンド３を緩めた後、巻取棒２１０がビニル屋根２ａを巻き取り、巻取棒２１０の巻き取りが終わると、偏心円板プーリ４５０が再び支持バンド３を緊張させなければならない。
【００８０】
従って、ビニル屋根２ａの巻き取りの際に、巻取棒２１０は支持バンド３により干渉されることなく、巻き取りの終了後は、支持バンド３によりしっかり固定される。
【００８１】
このように、支持バンド３が巻取棒２１０の巻き取り動作を干渉しないので、巻取棒２１０は、図４に示すように、屋根２に装着されたマウンティングブロック１００に近接した距離Ｈ（およそ３．８ｍ）まで上昇して屋根２の大部分を開放することができる。
【００８２】
以上のように本発明による連棟ビニル温室の完全自動開閉屋根システムは、巻取棒２１０に巻き取られるビニル屋根２ａの下端部が巻取棒２１０の内側に設けられたビニル下端固定部２１２に挿着されるので、巻取棒２１０にビニル屋根２ａが巻き取られても、その一部が外周面から突出することがない。
【００８３】
また、巻取棒２１０は巻取棒水平維持手段３００により両端が同じレベルを維持するので、水平状態を維持しながら巻取動作及び昇降動作が行える。
【００８４】
また、支持バンド３の張力を選択的に調節することができるので、巻取棒２１０に対する支持バンド３の干渉を防止することができるばかりか、屋根２のマウンティングブロック１００の下端部まで巻取棒２１０がビニル屋根２ａを巻き取るので、屋根２のほぼ全部を開放することができる。
【００８５】
図９は本発明の他の実施例による連棟ビニル温室の正面図、図１０は図９に示す連棟ビニル温室の谷部を拡大して示す正面図、図１１は図１０に示す巻取棒収容部材を拡大して示す正面図である。
【００８６】
同図に示すように、本発明の他の実施例は、本発明の上記実施例とほぼ全ての構成が同一であるが、ただ巻取棒水平維持手段３００をピニオン３１０とアーチ形ラック３２０から構成せずに、後述する円板カラー３１０−１とアーチ形ガイドレール３２０−１から構成することが異なる。
【００８７】
さらに、本発明の他の実施例による完全自動開閉屋根システムは、連続して設置された屋根２間の谷Ｖには、偏心円板プーリ４５０の作動により選択的に巻取部２１０を拘束して、巻取棒２１０が遊動することを防止する巻取棒収容部材２５０を含むことが違う。
【００８８】
これについて以降に詳細に説明する。この説明において、上記実施例の構成と同一の部分に対しては同一符号を付けて説明を省略し、また不要な部分については説明しない。
【００８９】
図９に示すように、本発明の他の実施例による巻取棒水平維持手段３００は、回転する巻取棒２１０の両端に一体的に設けられ、巻取棒２１０の昇降時に、回転しながら巻取棒２１０と共に昇降する円板カラー３１０−１と、巻取棒２１０が水平状態をなすように前記円板カラー３１０−１の下部を外接状態で支持すると共に、円板カラー３１０−１がアーチ状に走行しながら昇降するようにガイドするアーチ形ガイドレール３２０−１とを含む。
【００９０】
もちろん、図示のように、アーチ形ガイドレール３２０−１の外周面には円板カラー３１０−１が挿入されるレール溝３２０−１ａを形成して、巻取棒２１０の昇降時に、円板カラー３１０−１がレール溝３２０−１ａに沿って回転しながら走行するように構成することが好ましい。
【００９１】
しかし、円板カラー３１０−１の外周面に通常のプーリのような挿入溝（図示せず）を形成し、アーチ形ガイドレール３２０−１の外周面に、前記挿入溝に挿入される挿入突条（図示せず）を形成して構成することもできる。
【００９２】
前記巻取棒水平維持手段３００は、走行する円板カラー３１０−１がアーチ形ガイドレール３２０−１から離脱することを防止するために、アーチ形ガイドレール３２０−１の両側を支持するガイド板３５０をさらに含む。
【００９３】
そして、このガイド板３５０の下部には、アーチ形ガイドレール３２０−１の下部面に密着して円板カラー３１０−１の走行を助けるローラ３５２がさらに設けられている。
【００９４】
従って、このように構成された巻取棒水平維持手段３００は、円板カラー３１０−１、アーチ形ガイドレール３２０−１、及びローラ３５２を有するガイド板３５０により巻取棒２１０の両端の高さを同一に水平状態に維持することができる。
【００９５】
図１０及び図１１に示すように、本発明の他の実施例による巻取棒収容部材２５０は、屋根の谷Ｖに位置するアーチ形フレーム１の一側面、又は谷Ｖに別途設けられた雨樋４の一側面に（溶接又はネジ締結により）固定される固定板２５２を設けている。この固定板２５２の一側には、巻取棒２１０の外径より少し小さい内径を有し、上下端に外向に折り曲げられたラウンド部２５５ａを一体的に設けた一側開放形の弾性リング２５５を設けている。これにより、巻取棒２１０がラウンド部２５５ａを加圧しながら弾性リング２５５に挿入されると、巻取棒２１０を排斥する反発力を弾性リング２５５が有するようになる。
【００９６】
このとき、弾性リング２５５の上端には、弾性リング２５５から上方に斜めに延長される傾斜片２５７を設けて、巻取棒２１０が傾斜片２５７に沿って誘導されて弾性リング２５５の内部に挿入されるように構成することが好ましい。
【００９７】
従って、巻取棒２１０がビニル屋根２ａを巻き戻しながらアーチ形ガイドレール３２０−１に沿って屋根２の上端から谷Ｖ側に下降すると、図１１のように、傾斜片２５７上に置かれる。その後、巻取棒２１０は傾斜片２５７により弾性リング２５５に誘導される。
【００９８】
そして、巻き取られたビニル屋根２ａが全て戻され、巻取棒２１０が図示のように弾性リング２５５の開放部に位置すると、偏心円板プーリ４５０が回転しながら支持バンド３を緊張させる。
【００９９】
すると、支持バンド３が緊張しながら巻取棒２１０を加圧し、巻取棒２１０は弾性リング２５５のラウンド部２５５ａ上でスライドして弾性リング２５５に挿着される。
【０１００】
このとき、弾性リング２５５はその内径が巻取棒２１０の外径より小さく形成されるので、巻取棒２１０の挿入につれて拡張されながら、巻取棒２１０を排斥する反発力を発生させる。
【０１０１】
しかし、この弾性反発力は偏心円板プーリ４５０による支持バンド３への加圧力を克服し得ないので、巻取棒２１０が弾性リング２５５に挿入された状態が維持される。
【０１０２】
このように巻取棒２１０が弾性リング２５５に挿入されて固定されると、巻取棒２１０に連結されたビニル屋根２ａが完全に伸ばされてピンと張られる。従って、ビニル屋根２ａの光透過効率を最大限にするために、ビニル屋根２ａの光透過性が極めて向上される。
【０１０３】
また、ビニル屋根２ａが巻取棒収容部材２５０に固定された巻取棒２１０に連結されるので、ビニル屋根２ａが飛ばされなくなると共に、巻取棒２１０が遊動しない。
【０１０４】
巻取棒２１０が図１１のように巻取棒収容部材２５０に収容されると、弾性リング２５５に挿入された巻取棒２１０が埃又は異物により汚染することを防止することができる。
【０１０５】
巻取棒２１０の巻き取りのため、偏心円板プーリ４５０が逆回転して支持バンド３の緊張状態を緩めると、拡張された弾性リング２５５がそれ自体の弾性力により収縮して支持バンド３の加圧力を克服する。
【０１０６】
すると、曲面を有する弾性リング２５５と巻取棒２１０は曲面接触によりスライドし、これにより巻取棒２１０が弾性リング２５５から離脱される。
【０１０７】
このように巻取棒２１０が弾性リング２５５から離れると、巻取棒２１０は再びビニル屋根２ａの巻き取り動作を行うことができる。
【０１０８】
以上のように、巻取棒２１０は偏心円板プーリ４５０の作動により選択的に巻取棒収容部材２５０に挿入されるか、あるいは離される。
【０１０９】
以上、本発明の好ましい実施例を例示のために開示したが、当業者であれば、添付の特許請求の範囲に開示された本発明の範囲及び精神から逸脱しないで多様な変形例、付加例及び代替例を理解することができるであろう。
【図面の簡単な説明】
【０１１０】
【図１】従来の連棟ビニル温室を示す斜視図である。
【図２】本発明による連棟ビニル温室の完全自動開閉屋根システムを示す斜視図である。
【図３】図２に示す連棟ビニル温室の平面図である。
【図４】図２に示す連棟ビニル温室の正面図である。
【図５】図２に示すマウンティングブロック及び巻取棒の構成を示す側面断面図である。
【図６】図２に示す偏心円板プーリの正面図である。
【図７】図６に示す偏心円板プーリの斜視図である。
【図８】図６に示す偏心円板プーリの作動概念を示す概念図である。
【図９】本発明の他の実施例による連棟ビニル温室の正面図である。
【図１０】図９に示す連棟ビニル温室の谷部を拡大して示す正面図である。
【図１１】図１０に示す巻取棒収容部材を拡大して示す正面図である。
【符号の説明】
【０１１１】
１…アーチ形フレーム
２…屋根
２ａ…ビニル屋根
３…支持バンド
４…雨樋
１００…マウンティングブロック
１１０，１２０…挿入溝
１１２…挿入溝カバー
１１４…締結部材
１２２…係止膨出部
２１０…巻取棒
２１２…ビニル下端固定部
２１２ａ…ビニル収容溝
２１２ｂ…支持片
２１２ｃ…締結部材
２５０…巻取棒収容部材
２５２…固定板
２５５…弾性リング
２５５ａ…ラウンド部
２５７…傾斜片
３００…巻取棒水平維持手段
３１０…円板カラー
３２０…アーチ形ガイドレール
３５０…ガイド板
３５２…ローラ
４００…バンド張力調節手段
４１０…シャフト
４２０…支持部材
４３０…伝動部材
４３２…駆動ピニオン
４３４…水平ラック
４３４ａ…遊動防止具
４３４ｂ…ガイドローラ
４３６…従動ピニオン
４５０…偏心円板プーリ
４５５…アイドルベアリング
５０２…水平板
Ｍ１，Ｍ２…巻取モータ
【図１】
2006511230.tif 000004
【図２】
2006511230.tif 000005
【図３】
2006511230.tif 000006
【図４】
2006511230.tif 000007
【図５】
2006511230.tif 000008
【図６】
2006511230.tif 000009
【図７】
2006511230.tif 000010
【図８】
2006511230.tif 000011
【図９】
2006511230.tif 000012
【図１０】
2006511230.tif 000013
【図１１】
2006511230.tif 000014
【国際調査報告】
2006511230.tif 000015
2006511230.tif 000016